(57)【特許請求の範囲】
【請求項１】
ユーザーをログインさせるログイン処理と、
診断項目、及び、選曲を行うユーザーのユーザー情報に対応する楽曲を選択する選曲処理と、
選曲処理で選択された楽曲の再生時、診断項目に応じて楽曲の歌詞を表示制御する歌詞表示処理と、
マイクロホンに入力される歌唱音声を音声認識し、表示された歌詞文字と音声認識された歌詞文字の一致率に基づいて診断値を算出する診断値算出処理と、
診断値算出処理で算出された診断値に基づく診断結果を通知する通知処理と、を実行することを特徴とする
カラオケシステム。
【請求項２】
歌詞表示処理は、表示手段に表示される歌詞の大きさを変更し、
診断値算出処理は、音声認識された歌詞文字と、表示された歌詞文字の一致率に基づいて診断値を算出することを特徴とする
請求項１に記載のカラオケシステム。
【請求項３】
歌詞表示処理は、楽曲に規定されている歌詞とは異なる歌詞文字を表示させることを特徴とする
請求項２に記載のカラオケシステム。
【請求項４】
歌詞表示処理は、表示手段に表示される歌詞文字の一部を非表示とし、
診断値算出処理は、音声認識された歌詞文字と、表示された歌詞文字の一致率に基づいて診断値を算出することを特徴とする
請求項１に記載のカラオケシステム。
【請求項５】
選曲処理は、ユーザー情報中、選曲した楽曲の履歴情報を使用することを特徴とする
請求項１から請求項４の何れか１項に記載のカラオケシステム。
【請求項６】
選曲処理は、ユーザー情報中、ユーザーにより楽曲あるいは歌手を登録した登録情報を使用することを特徴とする
請求項１から請求項５の何れか１項に記載のカラオケシステム。
【請求項７】
選曲処理は、複数の診断項目から１の診断項目を選択可能とすることを特徴とする
請求項１から請求項６の何れか１項に記載のカラオケシステム。
【請求項８】
選曲処理は、診断項目の異なる複数の楽曲を選択し、
選曲処理で選択された複数の楽曲をメドレー形態で再生することで、複数の診断項目の診断を行うことを特徴とする
請求項１から請求項６の何れか１項に記載のカラオケシステム。
【発明の詳細な説明】
【技術分野】
【０００１】
本発明は、伴奏に合わせて歌唱を行うためのカラオケシステムに関する。
【背景技術】
【０００２】
従来、カラオケボックスやナイト店では、伴奏に合わせて歌唱を楽しむカラオケが行われている。カラオケにおいて伴奏を行うために使用されるカラオケ装置は、単に伴奏を行うのみならず、多彩な付加機能を備えたものがある。
【０００３】
特許文献１には、歌唱者が発声すべき目標声量レベルを表示して、実際に歌唱者が発声してマイクロホンから入力された入力声量レベルと目標声量レベルとを比較することにより、目標声量レベルの声量で発声出来ているか否かを報知する声量レベル判定システムが開示されている。このような構成により、歌唱者は目標声量レベルの声量で発生できているか否かを確認することが可能である。
【０００４】
また、特許文献２には、ＴＶモニターに表示される歌詞テロップの一部を隠しておき、一曲または特定の演奏範囲において、唄い手が唄った歌詞が正確に発音されたか否かを判断して評価採点する歌唱力採点ゲーム機能付きカラオケ装置が開示されている。
【０００５】
また、特許文献３には、入力された音声に関する情報に基づいてユーザーの体調を判断する体調判断手段と、その体調判断手段により判断された結果を表示する音楽再生装置が開示されている。
【先行技術文献】
【特許文献】
【０００６】
【特許文献１】特開２０１３−１５５５４号公報
【特許文献２】特開２００７−１１４４９２号公報
【特許文献３】特開２００４−２２６５８９号公報
【発明の概要】
【発明が解決しようとする課題】
【０００７】
特許文献１〜特許文献３には、それぞれ楽曲を再生するにあたって、歌唱により声量を判断すること（特許文献１）、歌詞を覚えているかを判断すること（特許文献２）、歌唱によりユーザーの体調を判断すること（特許文献３）が開示されている。これら従来技術で使用される楽曲は、ユーザー自身で選択された楽曲が使用されている。ところで、歌唱音声を使用した診断を行う場合、診断する項目に適した楽曲、あるいは、適していない楽曲があることが考えられる。しかしながら診断する項目に適した楽曲は、必ずしもユーザーが嗜好する楽曲とは限らない。したがって、診断する項目に適した楽曲を使用して診断を行った場合、ユーザーは歌唱を楽しむことができず、かえって苦痛となる場合も考えられ、適切な診断とならない場合がある。
【０００８】
本発明は、このような事情を鑑み、ユーザーが歌唱を楽しみながら、適切に診断を行うことのできるカラオケシステムを提供することを目的とする。
【課題を解決するための手段】
【０００９】
そのため本発明に係るカラオケシステムは、以下の構成を採用したことを特徴としている。
ユーザーをログインさせるログイン処理と、
診断項目、及び、選曲を行うユーザーのユーザー情報に対応する楽曲を選択する選曲処理と、
選曲処理で選択された楽曲の再生時、診断項目に応じて楽曲の歌詞を表示制御する歌詞表示処理と、
マイクロホンに入力される歌唱音声を音声認識し、表示された歌詞文字と音声認識された歌詞文字の一致率に基づいて診断値を算出する診断値算出処理と、
診断値算出処理で算出された診断値に基づく診断結果を通知する通知処理と、を実行することを特徴とする。
【００１０】
さらに本発明に係るカラオケシステムにおいて、
歌詞表示処理は、表示手段に表示される歌詞の大きさを変更し、
診断値算出処理は、音声認識された歌詞文字と、表示された歌詞文字の一致率に基づいて診断値を算出することを特徴とする。
【００１１】
さらに本発明に係るカラオケシステムにおいて、
歌詞表示処理は、楽曲に規定されている歌詞とは異なる歌詞文字を表示させることを特徴とする。
【００１２】
さらに本発明に係るカラオケシステムにおいて、
歌詞表示処理は、表示手段に表示される歌詞文字の一部を非表示とし、
診断値算出処理は、音声認識された歌詞文字と、表示された歌詞文字の一致率に基づいて診断値を算出することを特徴とする。
【００１３】
さらに本発明に係るカラオケシステムにおいて、
選曲処理は、ユーザー情報中、選曲した楽曲の履歴情報を使用することを特徴とする。
【００１４】
さらに本発明に係るカラオケシステムにおいて、
選曲処理は、ユーザー情報中、ユーザーにより楽曲あるいは歌手を登録した登録情報を使用することを特徴とする。
【００１５】
さらに本発明に係るカラオケシステムにおいて、
選曲処理は、複数の診断項目から１の診断項目を選択可能とすることを特徴とする。
【００１６】
さらに本発明に係るカラオケシステムにおいて、
選曲処理は、診断項目の異なる複数の楽曲を選択し、
選曲処理で選択された複数の楽曲をメドレー形態で再生することで、複数の診断項目の診断を行うことを特徴とする。
【発明の効果】
【００１７】
本発明に係るカラオケシステムによれば、診断項目、及び、選曲を行うユーザーのユーザー情報に対応する楽曲を使用して診断を行うことで、ユーザーが歌唱を楽しみながら、適切に診断を行うことが可能となる。
【図面の簡単な説明】
【００１８】
【図１】本実施形態のカラオケシステムを示す図
【図２】本実施形態で使用する各種データ構成を示す図
【図３】本実施形態のログイン時におけるトップ画面を示す図
【図４】本実施形態で使用するユーザー情報のデータ構成を示す図
【図５】本実施形態の選曲処理（健康診断時）を示すフロー図
【図６】本実施形態の診断項目選択画面を示す図
【図７】本実施形態の楽曲確認画面を示す図
【図８】本実施形態の楽曲再生処理を示すフロー図
【図９】本実施形態の視力診断処理を示すフロー図
【図１０】本実施形態の視力診断時における画面推移を説明するための図
【図１１】本実施形態の視力診断時における診断結果表示画面を示す図
【図１２】本実施形態の記憶力診断処理を示すフロー図
【図１３】本実施形態の記憶力診断時における画面推移を説明するための図
【図１４】本実施形態の声量診断処理を示すフロー図
【図１５】本実施形態の聴力診断処理を示すフロー図
【図１６】本実施形態の聴力診断時における画面を示す図
【図１７】本実施形態の総合診断時における診断結果表示画面を示す図
【発明を実施するための形態】
【００１９】
図１は、本実施形態のカラオケシステムの構成を示す図である。本実施形態におけるカラオケシステムは、カラオケ装置２（コマンダと呼ぶこともある）と、リモコン装置１を含んで構成されている。カラオケ装置２とリモコン装置１は、ＬＡＮ１００及びアクセスポイント１３０を利用してネットワークを形成するように接続されている。
【００２０】
カラオケボックスなどの店舗に設置されるカラオケ装置２は、楽曲を演奏するための演奏部として音響制御部２５を備えている。また、カラオケ装置２は、ユーザーからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４ａを備えている。また、本実施形態のカラオケ装置１は、無線ＬＡＮ通信部２４ｂも備えており、ＬＡＮ通信部２４ａを使用した有線によるネットワーク接続に代え、無線ＬＡＮ通信部２４ｂを使用した無線によるネットワーク接続を行うことも可能である。
【００２１】
また、カラオケ装置２は、モニター４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果の付与等を行う映像制御部３１を備えて構成される。
【００２２】
さらに、このカラオケ装置２では、外部に接続されるモニター４１以外に、タッチパネルモニター３３に対して各種情報を表示することを可能としている。タッチパネルモニター３３は映像制御部３１から入力された映像情報を表示する表示部３５と、タッチ入力された位置を操作処理部２２に出力するタッチパネル３４が重畳されて構成されている。このタッチパネルモニター３３は、カラオケ装置２の操作部２１、あるいは、リモコン装置１のタッチパネルモニター１１などと同様、入力部として機能する。ユーザーは、タッチパネルモニター３３にて楽曲を選択することで、直接カラオケ装置２に予約させる等、カラオケ装置２に対する各種操作を行うことが可能である。
【００２３】
さらに、カラオケ装置２は、各構成を統括して制御するためのＣＰＵ３０、各種プログラムを実行するにあたって必要となる情報を一時記憶するためのメモリ２７を含んだ制御部を備えて構成されている。
【００２４】
このような構成にてカラオケ装置２は、各種処理を実行することとなるが、カラオケ装置２の主な機能として、楽曲予約処理、楽曲再生処理などを実行可能としている。楽曲予約処理は、ユーザーからの指定に基づいて楽曲を指定、予約するための処理であってリモコン装置１と連携して実行される。リモコン装置１の選曲処理で形成された予約情報は、カラオケ装置２に送信される。カラオケ装置２は、受信した予約情報をメモリ２７中の予約テーブルに登録する。楽曲再生処理は、予約された楽曲を再生させる処理であって、楽曲演奏処理と歌詞表示処理とが同期して実行される処理である。
【００２５】
楽曲演奏処理は、楽曲情報に含まれる演奏情報に基づき、音響制御部２５に演奏を実行させる処理である。音響制御部２５にて演奏された楽曲は、マイクロホン４３ａ、４３ｂから入力される歌唱音声と一緒にスピーカー４２から放音される。歌詞表示処理は、楽曲情報に含まれる歌詞情報をモニター４１に表示させることで歌唱補助を行う処理である。この歌詞表示処理で表示される歌詞に、背景映像を重畳させて表示させる背景映像表示処理を実行することとしてもよい。
【００２６】
一方、リモコン装置１は、ユーザーからの指示に基づいて楽曲を検索し、再生指示のあった楽曲について予約情報をカラオケ装置２に送信する選曲処理を実行可能としている。また、リモコン装置１は、カラオケ装置２あるいはインターネット上に接続されたホスト装置５から各種情報を受信し、各種処理を実行することが可能である。本実施形態では、ユーザーから各種指示を受け付けるユーザインターフェイスとして、操作部１７と、タッチパネルモニター１１を備えている。タッチパネルモニター１１は、表示部１１ａとタッチパネル１１ｂを有して構成され、表示部１１ａに各種インターフェイスを表示するとともに、ユーザーからのタッチ入力を受付可能としている。
【００２７】
さらにリモコン装置１は、選曲処理に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニター１１に対して表示する映像を形成する映像制御部１３、表示する映像情報を一時的に蓄えるビデオＲＡＭ１２、タッチパネルモニター１１あるいは操作部１７からの入力を解釈してＣＰＵ１５に伝える操作処理部１８が含まれている。
【００２８】
リモコン装置１は、無線ＬＡＮ通信部１６によって、アクセスポイント１３０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２９】
このようなリモコン装置１の構成により、ユーザーからの各種入力をタッチパネルモニター１１、あるいは、操作部１７から受付けるとともに、映像情報をタッチパネルモニター１１の表示により各種情報を提供することで、カラオケ装置２に対して出力する予約情報を送信する選曲処理など、各種処理を行うことが可能となっている。
【００３０】
図２（Ａ）は、本実施形態の楽曲情報のデータ構成を示した図である。楽曲情報は、楽曲情報に関連する各種情報を含んだメタ情報と、演奏や歌詞の表示といった各種処理を実行するための実情報を有している。メタ情報には、楽曲情報を識別するための楽曲ＩＤ、曲名、歌手名、ジャンル等の楽曲関連情報を有している。楽曲関連情報は、ユーザーが楽曲を検索する際の検索対象項目として使用することが可能である。楽曲情報の実情報には、演奏情報、歌詞情報、背景映像情報等を含んで構成される。演奏情報は、ＭＩＤＩ規格に基づいて電子楽器用の制御情報、あるいは、実際の演奏を録音した圧縮音声情報等を含んで構成された、カラオケの伴奏音を演奏するための情報である。歌詞情報は、歌唱補助のため、演奏情報に同期して表示される情報であり、演奏に同期して表示された歌詞の色替えを行うように構成してもよい。歌唱評価情報は、楽曲再生時において、ユーザーの歌唱音声を評価する情報であり、歌唱すべき旋律等を含んで構成される。楽曲再生時、歌唱評価を行う際には、マイクロホン４３ａ、４３ｂに入力される歌唱音声と、この歌唱評価情報を対比することで、採点値の算出等を行うことが可能である。
【００３１】
本実施形態のカラオケシステムは、楽曲情報を再生する際、歌唱するユーザーの各種項目についての健康診断を行うことを可能としている。健康診断を行うにあたっては、健康診断の項目に適した楽曲を使用することとしている。また、歌唱するユーザーに関する情報を使用するため、ユーザーはカラオケシステムにログインして選曲を行う。
【００３２】
図３は、本実施形態のログイン時におけるトップ画面を示す図である。トップ画面は、ユーザーがカラオケシステムにログインしたときに表示される画面であって、ここでは、リモコン装置１を使用してログインしたときのトップ画面が示されている。本実施形態では、カラオケにおいて複数のユーザーが使用することを考慮し、複数のユーザーが同時にログインすることが可能である。トップ画面の上方にはログインしている複数のユーザーに関する情報が表示される。ログインユーザー欄１０３には、カラオケシステムにログインしているユーザーの分身像１０３ａ〜１０３ｅ（本実施形態では顔部分）が表示される。またログインユーザー欄１０３中、右端に背景がハイライト（白色）で示されるユーザーは、アクティブユーザー１０３ｅ（この例ではＡさん）であって、アクティブユーザー１０３ｅに対するサービス、すなわち、アクティブユーザー１０３ｅのユーザー情報を利用したサービスが実行されている状態となっている。アクティブユーザーの切り替えは、ユーザー切り替えボタン１０１を操作することで行うことが可能である。また、ユーザー登録していないユーザーは、ゲストボタン１０２を操作することで、ゲストユーザーとしてカラオケシステムを使用することが可能である。
【００３３】
図４は、会員登録された各ユーザー毎に記憶されたユーザー情報を説明するための図である。本実施形態では、ユーザー情報として、個人情報、登録楽曲情報（マイうた）、登録歌手情報（マイアーティスト）、履歴情報など、ユーザーに関する各種情報を含んで構成される。
【００３４】
ユーザー情報には、ユーザーがログインしてこれら情報を利用するためのユーザーＩＤ、パスワードが対応付けられている。個人情報には、ユーザー名（実際の名前に限ったものでなく、ニックネームであってもよい）、性別、年齢等を含んで構成されている。これら各種情報は、リモコン装置１、あるいは、ネットワークに接続されたパーソナルコンピュータ、携帯情報端末などにてログインして設定することができる。
【００３５】
登録楽曲情報（マイうた）には、ユーザーによって登録された楽曲が登録されており、少なくとも楽曲を識別するための楽曲ＩＤを含んで構成されている。この他、歌唱した際に採点された最高点（採点情報）や、自分の歌唱音域に合わせるための音程設定値などを登録しておいてもよい。ユーザーは、この登録楽曲情報を読み出すことで、事前に登録した楽曲を容易に選曲することが可能となる。
【００３６】
登録歌手情報（マイアーティスト）には、ユーザーによって登録された歌手が登録されており、歌手を識別するための歌手ＩＤを含んで構成されている。ユーザーは、この登録歌手情報を呼び出すことで、事前に登録した歌手を読み出し、さらにデータベースを参照することで当該歌手に関連する楽曲を容易に選曲することが可能となる。
【００３７】
履歴情報は、ユーザーがこれまでに選曲した楽曲が記録されており、演奏日時、楽曲ＩＤ、歌唱日時、音程設定値、採点情報などを含んで構成されている。採点情報は、歌唱したときの採点手段による結果を示す情報であり、音程設定値は歌唱したときに設定した音程を示す情報である。
【００３８】
本実施形態では、この履歴情報に記録された楽曲を選曲することも可能となっている。ユーザーは履歴情報を用いた選曲を行うことで、過去に指定した楽曲を再度演奏させることが可能となっている。
【００３９】
トップ画面には、カラオケシステムにおける各種サービスを使用するためのメニュー表示欄１０４が表示されている。この内、「健康診断」と表記されたボタンを操作することで、カラオケによる健康診断についての選曲処理が開始される。図５は、本実施形態の選曲処理（健康診断時）を示すフロー図である。本実施形態では、複数の診断項目の中からユーザーが希望する診断項目を選択して、健康診断を行うことが可能である。そのため、図３のトップ画面において「健康診断」と表記されたボタンが選択されると、診断項目選択画面を表示し、ユーザーに希望する診断項目を選択させる（Ｓ１０１）。
【００４０】
図６は、本実施形態の診断項目選択画面を示す図である。本実施形態では、４つの診断項目（視力、記憶力、声量、聴力）の中から何れかの診断項目を選択することが可能である。そのため、各診断項目に対応した診断項目選択ボタン１０５ａ〜１０５ｄが設けられている。ところで、診断を行う場合、各診断項目に適した楽曲、あるいは、診断項目専用の楽曲を業者側で用意しておくことが考えられる。しかしながら、このような場合、ユーザーが知らない楽曲であった場合、上手く歌唱できない、あるいは、歌唱しても楽しくないといったことが考えられる。本実施形態では、ユーザーの選曲履歴を参照し、ユーザーが過去に歌唱した楽曲、あるいは、当該楽曲に関連する楽曲を使用することで、ユーザーが歌唱を楽しみながら健康診断ができること可能としている。
【００４１】
まず、診断項目として視力が選択された場合、すなわち、診断項目選択画面において、視力の診断項目選択ボタン１０５ａが選択された場合（Ｓ１０３：視力）について説明する。まず、選曲を行っているアクティブユーザーの履歴情報を取得する（Ｓ１０４）。図４で説明したように、履歴情報は、カラオケシステムで選曲された楽曲の演奏日時と楽曲ＩＤの組を含んで構成されている。視力を診断項目とする場合、直近に歌唱した楽曲の場合、ユーザーが歌詞を記憶していることが考えられる。本実施形態では、履歴情報中、所定期間以上前に選曲した楽曲の中から１の楽曲が、視力診断に使用する楽曲として選択される（Ｓ１０５）。楽曲が選択されると、ユーザーに対して、この楽曲でよいかを確認させるための楽曲確認画面が表示される（Ｓ１０６）。
【００４２】
図７は、本実施形態の楽曲確認画面を示す図である。本実施形態の楽曲確認画面は、通常（非健康診断時）の選曲処理と同様、歌手名、曲名、歌い出しといった各種楽曲関連情報の項目が設けられている。視力診断では歌詞が見えるか、見えないかでユーザーの視力を判定するため、これら楽曲関連情報の内、歌い出しの項目は非表示としている。ユーザーは表示された歌手名、曲名を使用して、歌唱したい楽曲であるか否かを確認する。本実施形態では、カラオケシステム側で自動選択されるため、ユーザーは選択された楽曲を歌唱したくない場合、再選択ボタン１０６を操作することで、楽曲を変更することが可能となっている。再選択ボタン１０６が操作された場合（Ｓ１１７：Ｙｅｓ）には、選択中の診断項目について再度、楽曲が選択され、楽曲確認画面が表示される。その際、一度、選択された楽曲は除外することが好ましい。一方、楽曲確認画面に表示された楽曲を歌唱する場合、ユーザーは予約ボタン１０７の操作を行う。なお、本実施形態では、演奏時の音程変更（キー変更）を前もって設定するための音程設定欄１０５が設けられている。この音程設定欄１０５で、希望する音程設定値に変更して予約することが可能である。
【００４３】
予約ボタン１０７が操作される（Ｓ１１８：Ｙｅｓ）と、リモコン装置１からカラオケ装置２に対して予約情報が送信される（Ｓ１１９）。図２（Ｂ）は、予約情報のデータ構成を示した図である。予約情報には、楽曲確認画面に表示された楽曲に対応する楽曲ＩＤ、予約を行ったアクティブユーザーに対応するユーザーＩＤ、音程設定欄１０５を使用して設定された音程設定値、診断項目が含まれている。診断項目には、「０」：通常の選曲であって診断項目の指定がない場合、「１」：視力を診断項目とした場合、「２」：記憶力を診断項目とした場合、「３」：声量（肺活量）を診断項目とした場合、「４」：聴力を診断項目とした場合の識別子が記述されている。予約情報を受信したカラオケ装置２は、メモリ２７で記憶管理する予約テーブルに予約情報を追加する。
【００４４】
本実施形態の選曲処理では、診断項目、及び、ユーザーの履歴情報に基づいた選曲を、図７で説明した楽曲確認画面で、ユーザーに確認させた上で予約させることとしているが、楽曲確認画面を使用しない形態も考えられる。その場合、楽曲を再生するとき、誰のための楽曲か分からないことが考えられるため、楽曲再生開始時に、ユーザー名を通知する等の工夫が考えられる。このように再生開始まで、どの楽曲が再生されるか分からない形態は、視力あるいは記憶力を診断項目とする場合、ユーザーが楽曲再生開始前に歌詞を確認することができないため有効である。また、図７の楽曲確認画面に設けていた再選択ボタン１０６も設けることなく、再選択することができないようにしてもよい。また、条件に適した複数の楽曲を候補として提示し、提示された中からユーザーが選択できる構成としてもよい。このような形態では、記憶力を診断項目とする場合、履歴情報中、演奏日時に基づいて、記憶力診断のレベル別に提示することも可能である。この場合、演奏日時が古い楽曲ほど、記憶力診断のレベルは高く設定される。
【００４５】
視力以外の診断項目（記憶力、声量、聴力）についても同様に、履歴情報を使用して選曲が行われることになるが、その選曲方法において異なった内容となっている。記憶力を診断項目として選択した場合（Ｓ１０３：記憶力）には、ユーザーの履歴情報を参照し、視力の場合と同様、所定期間以上前に選曲した楽曲が選曲の対象となる。また、声量を診断項目として選択した場合（Ｓ１０３：声量）には、ユーザーの履歴情報中、ロングトーン部分（長く延ばして歌唱する部分）を含んだ楽曲を選曲の対象とする。また、聴力を診断項目として選択した場合（Ｓ１０３：聴力）には、なるべく間奏部分が静かな楽曲を選曲の対象とする。なお、何れの診断項目においても、履歴情報中に条件に適合する楽曲が無い場合、履歴情報中の楽曲の歌手に対応する楽曲を選曲対象とすることで、選曲対象を拡大してもよい。あるいは、履歴情報中の楽曲のジャンルに対応する楽曲まで選曲対象を拡大することも考えられる。このような楽曲は、ユーザーが歌唱できる楽曲、あるいは、興味ある楽曲である可能性が高いため、健康診断を行う際にも楽しく歌唱できる楽曲となる。なお、視力を診断項目とした場合、楽曲確認画面中、歌い出しの項目を非表示としたが、記憶力を診断項目とした場合、歌詞を記憶しているか否かが試されるため、視力の場合と同様、歌い出しの項目は非表示とすることが好ましい。
【００４６】
カラオケ装置２は、楽曲再生処理を実行することで予約された楽曲の再生を行う。図８は、本実施形態の楽曲再生処理を示すフロー図である。カラオケ装置２は、メモリ２７に記憶管理している予約テーブルをチェックし、再生の対象となる楽曲を確認する（Ｓ２０１）。次に再生する楽曲がある場合（Ｓ２０２：Ｙｅｓ）、予約情報に含まれる診断項目を確認し、診断項目の指定の有無を確認する。診断項目が指定されていない場合（Ｓ２０３：Ｎｏ）。予約情報中の楽曲ＩＤに対応する楽曲情報を読み出して楽曲の再生を開始する（Ｓ２０８）。楽曲の再生が終了する（Ｓ２０９：Ｙｅｓ）と、楽曲再生処理の先頭に戻って、次に再生の対象とする楽曲の確認を行う。
【００４７】
一方、予約情報中に診断項目が指定されている場合（Ｓ２０３：Ｙｅｓ）、予約情報中の楽曲ＩＤに対応する楽曲情報を読み出して楽曲の再生を開始する（Ｓ２０４）。その際、指定されている診断項目に応じた診断処理（Ｓ２１０、Ｓ２２０、Ｓ２３０、Ｓ２４０）が実行される。
【００４８】
まず、視力が診断項目に指定されている場合に実行される視力診断処理（Ｓ２１０）について説明する。図９は、本実施形態の視力診断処理（Ｓ２１０）を示すフロー図であり、図１０は、本実施形態の視力診断時における画面推移を説明するための図である。視力診断処理では、モニター４１に表示される歌詞の大きさを変更し、表示された歌詞が歌唱できたか否かによって視力を診断することとしている。通常の歌詞表示処理と同様、所定フレーズ毎にモニター４１に歌詞が表示される（Ｓ２１１）。図１０（Ａ）は、視力診断中のモニター４１の画面である。楽曲の再生開始時には、標準の大きさで歌詞文字４０１ａが表示される。カラオケ装置２は、マイクロホン４３ａ、４３ｂに入力される歌唱音声を音声認識することで、ユーザーが歌唱した歌詞を取得する（Ｓ２１２）。
【００４９】
表示された歌詞文字と音声認識した歌詞文字について、一致率が所定値以上である場合（Ｓ２１３：Ｙｅｓ）、視力診断値が高評価となるように更新する（Ｓ２１４）。そして、歌詞サイズを小さく設定する（Ｓ２１５）。次に表示される歌詞のフレーズは、この設定された歌詞サイズによって表示される。図１０（Ｂ）には、図１０（Ａ）で表示された歌詞文字４０１ａを歌唱できた、すなわち、モニター４１に表示された歌詞文字を読めたと診断された場合の画面例が示されている。モニター４１には、歌詞文字４０１ａよりも歌詞サイズが小さく歌詞文字４０１ｂが表示されている。このように視力診断時には、ユーザーが判読できなくなるまで歌詞サイズを変更することで、ユーザーがどれだけ小さい文字を判読できるかという診断が行われる。
【００５０】
一方、表示された歌詞文字と音声認識した歌詞文字について、一致率が所定値よりも小さい場合（Ｓ２１３：Ｎｏ）、視力診断値が低評価となるように更新する（Ｓ２１６）。そして、歌詞サイズを大きく設定する（Ｓ２１７）。図１０（Ｃ）には、図１０（Ａ）で表示された歌詞文字４０１ａを歌唱できなかった、すなわち、モニター４１に表示された歌詞文字を十分に読めなかったと診断された場合の画面例が示されている。モニター４１には、歌詞文字４０１ａよりも歌詞サイズが大きく歌詞文字４０１ｂが表示されている。このように本実施形態では、表示される歌詞文字の大きさを変更することで、被験者となるユーザーがどれだけ小さい文字を判読できるかを判定することが可能となる。
【００５１】
楽曲の再生終了が判定された場合（Ｓ２１８：Ｙｅｓ）、図８の楽曲再生処理に戻り、診断結果がモニター４１に表示される（Ｓ２０７）。図１１は、本実施形態の視力診断時における診断結果表示画面を示す図である。本実施形態では、視力診断処理中、Ｓ２１４、Ｓ２１６で更新された視力診断値、並びに、視力診断値を年齢に換算した視力年齢が表示される。ユーザーは、診断結果表示画面を参照し、自分の視力の診断状況を確認することが可能である。
【００５２】
なお、カラオケシステムでは、使用するモニター４１の大きさによって、表示される歌詞文字の大きさが異なることが考えられる。そのため、カラオケ装置２に使用するモニター４１の大きさ（インチ数等）を設定しておくことが好ましい。設定されたモニター４１の大きさに基づき、視力診断時にユーザーに対し、「モニターからｘｘメートル離れた位置で歌唱して下さい。」という通知を行う。あるいは、診断する距離が決まっている場合には、その診断する距離に応じて歌詞文字の大きさを変更することが考えられる。
【００５３】
また、視力診断時には、必ずしも楽曲情報中に含まれる歌詞情報に基づいて歌詞表示を行う必要は無い。例えば、歌詞情報の単語をランダムな単語に変更する、ＡメロとＢメロの歌詞を入れ替える等、元の歌詞情報と異なる歌詞文字を表示してもよい。その場合、視力診断は、表示した歌詞文字と歌唱音声の音声認識結果を対比することで行われる。ユーザーが歌詞を覚えている楽曲についても、的確な視力診断を行うことが可能となる。
【００５４】
次に、記憶力が診断項目に指定されている場合に実行される記憶力診断処理（Ｓ２２０）について説明する。図１２は、本実施形態の記憶力診断処理（Ｓ２２０）を示すフロー図であり、図１３は、本実施形態の記憶力診断時における画面推移を説明するための図である。記憶力診断処理では、モニター４１に表示される歌詞の一部を非表示とし、表示された歌詞が歌唱できたか否かによって記憶力を診断することとしている。記憶力診断処理（Ｓ２２０）では、まず、モニター４１に表示する歌詞のフレーズ中、非表示部分を設けて表示を行う（Ｓ２２２）。図１３（Ａ）は、記憶力診断中のモニター４１の画面である。表示される歌詞文字４０１ｄ中、一部の歌詞を非表示としている。本実施形態では、非表示とした歌詞の１文字毎にアスタリスク「＊」を表示している。なお、歌詞文字中の非表示部分は、ランダムに決定する、あるいは、歌詞情報中に予め設定しておくことが考えられる。カラオケ装置２は、マイクロホン４３ａ、４３ｂに入力される歌唱音声を音声認識することで、ユーザーが歌唱した歌詞を取得する（Ｓ２２２）。
【００５５】
非表示にした歌詞文字と音声認識した歌詞文字について、一致率が所定値以上である場合（Ｓ２２３：Ｙｅｓ）、記憶力診断値が高評価となるように更新する（Ｓ２２４）。そして、非表示文字数を増加設定する（Ｓ２２５）。次に表示される歌詞のフレーズは、この拡大された非表示部分を使用して表示される。図１３（Ｂ）には、図１３（Ａ）で表示された歌詞文字４０１ｄ中の非表示部分を歌唱できた場合の画面例が示されている。モニター４１には、図１３（Ｂ）よりも文字数が増加された非表示部分を有する歌詞文字４０１ｅが表示されている。このように、記憶力診断時には、非表示部分の文字数を増加していくことで、ユーザーの記憶力を試す診断が行われる。
【００５６】
一方、非表示にした歌詞文字と音声認識した歌詞文字について、一致率が所定値よりも小さい場合（Ｓ２２３：Ｎｏ）、記憶力診断値が低評価となるように更新する（Ｓ２２６）。そして、非表示文字数を減少設定する（Ｓ２２７）。図１３（Ｃ）には、図１３（Ａ）で表示された歌詞文字４０１ｄ中の歌詞文字を歌唱できなかった場合の画面例が示されている。モニター４１には、歌詞文字４０１ｄよりも非表示部分の文字数が減少された歌詞文字４０１ｆが表示されている。このように本実施形態では、前の画面で歌詞を覚えていなかった場合、次の画面では非表示部分の文字数を減少して表示することで、ユーザーに対して与えるヒントの程度が変更される。
【００５７】
楽曲の再生終了が判定された場合（Ｓ２２８：Ｙｅｓ）、図８の楽曲再生処理に戻り、診断結果がモニター４１に表示される（Ｓ２０７）。視力を診断した場合と同様、診断結果表示画面（図示せず）には、記憶力診断値、並びに記憶力診断値を年齢に換算した記憶力年齢が表示される。
【００５８】
以上説明した、診断項目が「視力」、「記憶力」の場合、診断項目に応じて楽曲の歌詞を表示制御する歌詞表示処理が実行されることで、「視力」、「記憶力」といった診断項目に応じた診断が実行される。
【００５９】
次に、声量が診断項目に指定されている場合に実行される記憶力診断処理（Ｓ２３０）について説明する。図１４は、本実施形態の声量診断処理（Ｓ２３０）を示すフロー図である。声量診断処理では、楽曲中のロングトーン部分を使用し、どれだけ息継ぎせずに安定した歌唱ができたかに基づいて、ユーザーの声量を診断する。ある意味、肺活量の診断ということもできる。声量診断では、楽曲再生期間中、ロングトーン部分の検出を行う。ロングトーン部分は、長く延ばして歌唱する部分であり、演奏情報を解析して判定することや、予め演奏情報中に、ロングトーン部分であることを記述しておくこと等で判定することが可能である。演奏がロングトーン部分に差し掛かると、マイクロホン４３ａ、４３ｂに入力される歌唱音声を取得し（Ｓ２３３）、歌唱音声の持続性、安定性が判定される（Ｓ２３４）。持続性は、ロングトーン部分における歌唱音声の持続時間を使用して判定することが可能である。また、安定性は、楽曲情報中の歌唱評価情報と歌唱音声を比較すること等で判定することが可能である。判定された歌唱音声の持続性、安定性に基づき声量診断値が更新される（Ｓ２３５）。
【００６０】
楽曲の再生終了が判定された場合（Ｓ２３１：Ｙｅｓ）、図８の楽曲再生処理に戻り、診断結果がモニター４１に表示される（Ｓ２０７）。診断結果表示画面（図示せず）には、声量診断値、並びに声量診断値を年齢に換算した記憶力年齢が表示される。
【００６１】
次に、聴力が診断項目に指定されている場合に実行される聴力診断処理（Ｓ２３０）について説明する。図１５は、本実施形態の聴力診断処理（Ｓ２３０）を示すフロー図であり、図１６は、本実施形態の聴力診断時における画面を示す図である。聴力診断処理では、楽曲の間奏区間を使用して行われる。楽曲の間奏区間に楽曲とは異なる検査音をスピーカー４２から出力させ、聞こえたことをマイクロホン４３ａ、４３ｂから音声入力して通知することで、ユーザーの聴力を診断する。間奏区間は、歌唱しない部分であるため、歌詞情報で判別することが可能である。あるいは、予め、演奏情報等に間奏区間であることを規定しておいてもよい。
【００６２】
演奏が間奏区間中（Ｓ２４２：Ｙｅｓ）、カラオケ装置２は、適宜タイミングで検査音をスピーカー４２から出力させる（Ｓ２３３）。図１６に示されるように間奏区間中、モニター４１には、検査音が流れる（放音される）こと、そして、聞こえた場合、ユーザーが取るべき行動（この例では、マイクロホン４３ａ、４３ｂに「聞こえた」と音声入力すること）が示されている。カラオケ装置２は、間奏区間中、マイクロホン４３ａ、４３ｂに入力される歌唱音声を音声認識し、「聞こえた」というユーザーからの合図を監視する。検査音を出力して一定期間以内にユーザーからの合図を確認する、すなわち、検査音出力タイミングに応じた期間に音声入力があった場合（Ｓ２３４：Ｙｅｓ）、聴力診断値が高評価となるように更新を行う（Ｓ２３５）。一方、検査音出力タイミングに応じた期間に音声入力がなかった場合（Ｓ２３４：Ｎｏ）、聴力診断値が低評価となるように更新を行う（Ｓ２３６）。また、本実施形態では、検査音が聞き取れなかった場合（Ｓ２３４：Ｙｅｓ）、検査音の音量を大きく変更することで、聞き取り易くし、ユーザーが聞き取れる検査音を判定できるようにしている。なお、検査音の音量を変更することに変え、検査音の周波数を聞き取りやすい周波数帯に変更することとしてもよい。
【００６３】
楽曲の再生終了が判定された場合（Ｓ２４１：Ｙｅｓ）、図８の楽曲再生処理に戻り、診断結果がモニター４１に表示される（Ｓ２０７）。診断結果表示画面（図示せず）には、聴力診断値、並びに聴力診断値を年齢に換算した記憶力年齢が表示される。
【００６４】
以上、本実施形態のカラオケシステムについて、各種項目についての健康診断を行うことを説明したが、本実施形態のカラオケシステムは、ユーザーがこれまでに選曲した楽曲を示す履歴情報に基づいて、診断項目に適した楽曲を選択することで、ユーザーが知っている、あるいは、興味ある楽曲を使用して、楽しく歌唱させ、かつ、健康診断も行うことが可能となる。本実施形態のカラオケシステムでは、４つの診断項目から１つを選択する形態としたが、複数の診断項目について診断を行うことも考えられる。例えば、複数の診断項目、並びに、履歴情報に対応する１の楽曲を選択し、１の楽曲の楽曲再生処理中に、複数の診断項目についての診断を行う形態が考えられる。しかしながら、このような形態では、選曲の条件が厳しくなるため、選曲対象となる楽曲が限られる、あるいは、選曲対象となる楽曲が無いことが考えられる。したがって、診断項目毎に履歴情報に対応する楽曲を選択し、選択された楽曲をメドレー形態で再生することとしてもよい。メドレー形態で再生された各楽曲の再生期間中、再生されている各楽曲に対応する診断項目に関する診断が実行され、各診断項目についての診断値が算出される。
【００６５】
図１７は、本実施形態の総合診断時における診断結果表示画面を示す図であって、複数の診断項目について診断を行った場合の診断結果表示画面である。この例では、視力、記憶力、声量、聴力の４つの診断項目が行われた場合であって、各診断項目について、診断値及び診断値を年齢換算した値、そして、全ての診断項目に基づいて算出された総合評価としての健康年齢が表示されている。このように１回の楽曲再生処理で複数の診断項目についての診断を行うことも可能である。なお、各診断項目は、ユーザーが選択する形態のほか、総合診断として予め診断項目が設定されていてもよい。
【００６６】
また、本実施形態では、ユーザー情報中の履歴情報を使用して、ユーザーに馴染みがあるとともに、診断項目に適した楽曲を選択することとしているが、ユーザー情報中、履歴情報に関連する楽曲のみならず、個人情報、登録楽曲情報、登録歌手情報を使用して、ユーザーに関連する楽曲を選択することとしてもよい。例えば、登録楽曲情報を使用する場合、登録楽曲情報に登録されている楽曲を選択することが考えられる。また、登録歌手情報を使用する場合、登録歌手情報に登録されている歌手の楽曲を選択することが考えられる。あるいは、個人情報、登録楽曲情報、登録歌手情報、履歴情報を複数組み合わせて楽曲を選択することとしてもよい。
【００６７】
以上、本発明についてカラオケシステムを用いて説明したが、本発明はカラオケシステムに限られるものではない。現在、スマートホンにアプリ（プログラム）をインストールすることで、スマートホンでカラオケを行う形態も知られている。このようなスマートホン等の情報処理装置にインストールすることで、本発明の機能を実現するカラオケ用プログラムについても本発明の範疇に属するものである。
【符号の説明】
【００６８】
１：リモコン装置                      ３０：ＣＰＵ
２：カラオケ装置                      ３１：映像制御部
５：ホスト装置                        ３２：ハードディスク
１１：タッチパネルモニター            ３３：タッチパネルモニター
１１ａ：表示部                        ３４：タッチパネル
１１ｂ：タッチパネル                  ３５：表示部
１２：ビデオＲＡＭ                    ４１：モニター
１３：映像制御部                      ４２：スピーカー
１４：メモリ                          ４３ａ、４３ｂ：マイクロホン
１５：ＣＰＵ                          １０１：ユーザー切り替えボタン
１６：無線ＬＡＮ通信部                １０２：ゲストボタン
１７：操作部                          １０３：ログインユーザー欄
１８：操作処理部                      １０３ａ〜１０３ｅ：分身像
２１：操作部                          １０４：メニュー表示欄
２２：操作処理部                      １０５：音程設定欄
２４ａ：ＬＡＮ通信部                  １０５ａ〜１０５ｄ：診断項目選択ボタン
２４ｂ：無線ＬＡＮ通信部              １０６：再選択ボタン
２５：音響制御部                      １０７：予約ボタン
２７：メモリ                          １３０：アクセスポイント
２８：ビデオＲＡＭ                    ４０１ａ〜４０１ｄ：歌詞文字
２９：映像再生部
【図１】
0006624982.tif 000002
【図２】
0006624982.tif 000003
【図３】
0006624982.tif 000004
【図４】
0006624982.tif 000005
【図５】
0006624982.tif 000006
【図６】
0006624982.tif 000007
【図７】
0006624982.tif 000008
【図８】
0006624982.tif 000009
【図９】
0006624982.tif 000010
【図１０】
0006624982.tif 000011
【図１１】
0006624982.tif 000012
【図１２】
0006624982.tif 000013
【図１３】
0006624982.tif 000014
【図１４】
0006624982.tif 000015
【図１５】
0006624982.tif 000016
【図１６】
0006624982.tif 000017
【図１７】
0006624982.tif 000018